(57)【要約】【課題】この発明は、指向性バックライト方式の面光源装置を用いた電子機器において、視認性が良い機器を提供することを目的とする。【解決手段】液晶パネルと、この液晶パネルに装着される面光源装置と、を有する液晶表示装置１０を搭載したデジタルカメラにおいて、面状の導光板と光源とを有する指向性バックライト方式の面光源装置を用い、導光板の入光面側に配設される光源２４をデジタルカメラ本体１の左右方向の一方又は双方に配置する。【選択図】  図９
2004199001.tif 000002
【特許請求の範囲】
【請求項１】
液晶パネルと、この液晶パネルに装着される面光源装置と、を有する液晶表示装置を搭載した電子機器において、前記面光源装置は、面状の導光板と、前記導光板の入光面側に配設される光源と、導光板の出射面側に配置されるプリズムシートと、を備え、前記光源を電子機器の左右方向の一方又は双方に配置し、前記光源から導光板に入射した光を前記導光板より絞られて寝た光として出射し、前記プリズムシートにより導光板より出射された光を法線方向に変換し、前記液晶パネルにより光を変調して可視情報を出力することを特徴とする面光源装置を有する液晶表示装置を搭載した電子機器。
【請求項２】
前記導光板に、前記出射面より出射する光を前記出射面の法線方向より所定の方向に指向させて出射させるために前記導光板の出射面又は反射面或いは出射面と反射面双方に多数形成された微小なシボ群からなるパターン面が設けられると共に、前記パターン面は前記導光板の入射側端面から遠ざかるにつれてシボの密度を粗くすることを特徴とする請求項１に記載の面光源装置を有する液晶表示装置を搭載した電子機器面光源装置。
【発明の詳細な説明】
【０００１】
【発明の属する技術分野】
この発明は、導光板の出射面側にプリズムシートを配設し、照明光の利用効率を向上させた面光源装置を有する液晶表示装置を備えた電子機器に関するものである。
【０００２】
【従来の技術】
近年、携帯電話機、デジタルカメラ、ビデオカメラ、携帯情報端末等の各種の電子機器の軽量化、小型化及び低消費電力化を図る技術は著しく発展してきている。この技術の流れの中で、液晶表示装置に代表される非発光表示デバイスを用いることにより、電子機器が軽量化、小型化され、しかも低消費電力化されてきている。
【０００３】
液晶表示装置は、液晶の配向を制御することで光を変調し、文字、数字、その他の可視情報を表示するものであり、透過型と反射型とがあり、透過型の液晶表示装置には、液晶表示装置を裏側から照明する照明装置、いわゆるバックライトが設けられ、反射型の液晶表示装置には、液晶表示装置を表側から照明する照明装置、いわゆるフロントライトが設けられている。
【０００４】
これらの照明装置は、点光源と、この点光源の光を一端面より入射され、表裏のいずれか一面より平面的に分散させて出射させる面状の導光板と、を備えた面光源装置が知られている。このような面光源装置は、ほぼ均一な板厚により導光板を形成した方式のものと、線状光源より遠ざかるに従って導光板の板厚を徐々に薄く形成した形式のものとがある。
【０００５】
上記した液晶表示装置を表示デバイスに用いた電子機器の一例として、デジタルカメラを図１及び図２に示す。図１及び図２は、デジタルカメラの外観模式図であり、それぞれ前方斜視図と後方斜視図である。
【０００６】
図１及び図２に示すように、デジタルカメラ本体１は、その内部にＣＣＤ固体映像素子や映像画像を記録するフラッシュメモリなどの撮影／記録部（図示せず）などを備えている。
【０００７】
デジタルカメラ本体１の前方にはレンズ部２が設けられ、レンズ部２の内部にはレンズを駆動するモータや絞り調節環などの写真撮影に必要な調節部が設けられている。
【０００８】
デジタルカメラ本体１にはフラッシュ発光部３が設けられ、フラッシュボタンにより、自動発光モード、強制発光モード及び発光禁止モードを選択することができ、各種発光モードに適合して被写体の撮影時にフラッシュが発光する。
【０００９】
デジタルカメラ本体１の上方にシャッターボタン５が設けられ、このシャッターボタン５は、第１のストローク、即ち半押し状態にすると、オートフォーカス機能や自動露光機能が働いて撮影準備段階に入り、更に深く押し込む第２ストロークでシャッターが切れて被写体が撮影される。
【００１０】
デジタルカメラ本体１には、ファインダー６が設けられ、このファインダー６により、被写体、撮影範囲、焦点調整の具合等が観られる。
デジタルカメラ本体１の上部には、コントロール表示パネル７が設けられ、このコントロール表示パネル７には、撮影可能枚数、マクロ撮影モード、連写モード、解像度、フラッシュモード、電池残量、セルフタイマー機能などの設定状態が表示される。
【００１１】
デジタルカメラ本体１０の後方には、液晶表示装置１０が設けられている。液晶表示装置１０の内部には、面光源装置が設けられている。そして、モニタースイッチ（図示しない）により、液晶表示装置１０の表示が切又は入に切り換えられる。
【００１２】
上記したデジタルカメラなどにおいては、面光源装置に用いる光源として、白色発光ダイオード（ＬＥＤ）などの点光源が用いられることが多くなっている。
【００１３】
点光源を用いた面光源装置においては、有効発光領域内の全域に均一な強度の発光を得るために種々な対策が講じられている。例えば、発光ダイオードと導光板との間にレンズを設け、導光体の有効発光領域の全域を均一な強度で発光させる面光源装置が提案されている（例えば、特許文献１参照）。
【００１４】
上記した特許文献１にも開示されているように、従来の面光源装置においては、矩形の導光板の長辺側端部側に発光ダイオードを配置している。また、通常、デジタルカメラなどの電子機器にモニターとして用いられる液晶表示装置は、縦横比が３×４の表示画面が多く用いられている。この様な関係から、図４のデジタルカメラの模式図に示すように、デジタルカメラなどの電子機器に液晶表示装置を搭載する場合、一般的には面光源装置の光源を液晶表示装置の上下方向のどちらかの側に配置する構造になっている。
【００１５】
一方、近年の液晶表示装置の高輝度化の要望に応えるべく、導光板から非常に絞られて寝た光を出射し、出光面から出た指向性のある光をプリズムシート（下向きプリズムシート）により、法線方向に方向を変換する転角する指向性バックライトが提案されている（特許文献２参照）。
【００１６】
指向性バックライトとしての面光源装置を液晶表示装置に用いた一例図３に示す。同図に示すように、この装置は、透過型の液晶パネルユニット１０、液晶パネルユニット１０の下面に配置された面光源装置２０と、を備える。上記面光源装置２０は、導光板２１の一側面に点光源２４を配置し、導光板２１の下面に反射シート２２を、導光板２１の上面にプリズムシート２３を配置して形成される。
【００１７】
反射シート２２は、金属箔等からなるシート状の正反射部材、又は白色ＰＥＴフィルム等からなるシート状の乱反射部材により形成され、導光板１０１より漏れ出す照明光を反射して導光板２１に入射し、これにより照明光の利用効率が向上する。
【００１８】
導光板２１は、透明部材からなる例えば、アクリル（ＰＭＭＡ樹脂）を射出成形して断面楔型形状に形成された板状の部材であり、反射シート２１側の平面（以下、裏面という。）には、図示はしないが、１対の斜面を有する凸部を繰り返し形成する。また、導光板２１の出射面の全面が均一な粗面加工が施されている。導光板２１の出射面に配置されるプリズムシート２３の導光板２１側に同種の凸部を繰り返し形成する。これにより導光板２１は、裏面に光拡散面を形成し、裏面と出射面との間を繰り返し反射して光を伝搬する。
【００１９】
この伝播の際に、照明光は、裏面で反射する毎に出射面に対する入射角が低下し、出射面に対して臨界角以下の成分が出射される。即ち、光出射面により法線に対して７０°〜８０°方向に寝た光が出射される。
【００２０】
プリズムシート２３は、この導光板２１の指向性を補正するために配置される。すなわち、プリズムシート２３は、ポリカーボネート等の透光性のシート材で形成され、導光板２１と対向する側の面にプリズム面が形成される。このプリズム面は、一方向にほぼ平行に延長する断面三角形形状の突起が繰り返されて形成され、この突起が光入光面とほぼ直交する方向に延長するように配置される。
【００２１】
これにより、プリズムシート２３は、この三角形形状の突起の斜面で、出射光の主たる出射方向を出射面の正面方向に補正する。これによりこの面光源装置では、出射光を正面方向に効率良く出射できるようになされている。
【００２２】
上記した指向性を有するバックライトとしての面光源装置と、導光板から出射される光を拡散させ、２枚のプリズムシートで光の出射方向を変換する面光源装置（以下、標準バックライトという。）の視野角特性を測定した。視野角特性は、図５の面光源装置の模式的斜視図に示すように、面光源装置２０の導光板２１の点光源２４が配置される入光面に対して平行方向と垂直方向について測定した。その結果を図７及び図８に示す。図７は入光面垂直方向の視野角特性、図８は入光面と水平方向の視野角特性を示している。
【００２３】
図６は、デジタルカメラに搭載した液晶表示装置１０においての視野角の方向を説明するための模式図であり、デジタルカメラ本体１に対して、上下方向を上下方向の視野角、左右方向を左右方向視野角としている。
【００２４】
図７及び図８から分かるように、指向性バックライトは、正面方向には、高輝度が得られる反面、入光面に対して垂直方向の視野角特性が、水平方向より狭い。このため、図４に示すように、指向性バックライトを用いた液晶表示装置において、光源を機器の上下方向に配置してデジタルカメラなどの電子機器に搭載した場合、正面方向には高輝度が得られる反面、デジタルカメラなどの電子機器において、液晶表示装置の上下方向の視野角特性が狭くなるという問題があった。
【００２５】
【特許文献１】
特開平１０−２６０４０４号公報
【特許文献２】
特公平７−２７１３７号公報
【００２６】
【発明が解決しようとする課題】
上記したように、従来の指向性バックライトを用いた液晶表示装置を搭載したデジタルカメラなどの電子機器においては、液晶表示装置の上下方向の視野角特性が狭くなるという問題があった。しかしながら、デジタルカメラなどの電子機器においては、撮影者などが液晶表示装置でモニターする場合には、撮影者の目の上下方向に液晶表示装置を動かす場合が多く、上下方向の視野角特性が広い方が視認しやすいことから好ましい。
【００２７】
この発明は、上述した従来の問題点に鑑みなされたものにして、指向性バックライト方式の面光源装置を用いた電子機器において、視認性が良い機器を提供することを目的とする。
【００２８】
【課題を解決するための手段】
この発明は、液晶パネルと、この液晶パネルに装着される面光源装置と、を有する液晶表示装置を搭載した電子機器において、前記面光源装置は、面状の導光板と、前記導光板の入光面側に配設される光源と、導光板の出射面側に配置されるプリズムシートと、を備え、前記光源を電子機器の左右方向の一方又は双方に配置し、前記光源から導光板に入射した光を前記導光板より絞られて寝た光として出射し、前記プリズムシートにより導光板より出射された光を法線方向に変換し、前記液晶パネルにより光を変調して可視情報を出力することを特徴とする。
【００２９】
また、この発明は、前記導光板に、前記出射面より出射する光を前記出射面の法線方向より所定の方向に指向させて出射させるために前記導光板の出射面又は反射面或いは出射面と反射面双方に多数形成された微小なシボ群からなるパターン面が設けられると共に、前記パターン面は前記導光板の入射側端面から遠ざかるにつれてシボの密度を粗くするように構成すると良い。
【００３０】
上記した構成によれば、指向性バックライト方式の面光源装置を有する液晶表示装置を搭載した電子機器において、上下方向の視野角特性が広くなり、視認性が良い機器を提供することができる。
【００３１】
【発明の実施の形態】
以下、この発明の実施の形態につき、図面を参照して説明する。尚、従来例と同一部分には同一符号を付し、説明の重複を避けるためにここではその説明を割愛する。
【００３２】
図９は、この発明の実施形態にかかる指向性バックライト方式の面光源装置を用いた液晶表示装置を搭載したデジタルカメラ示す模式図である。
【００３３】
図９に示すように、この発明の実施形態においては、デジタルカメラ本体１に指向性バックライト方式の面光源装置を用いた液晶表示装置１０搭載する際に、面光源装置の点光源２４をデジタルカメラ本体１の左右のどちらか一方又は双方に配置する。この実施形態ではデジタルカメラ本体１の裏面側から見て左側の一方に点光源２４を配置した。
【００３４】
図７及び図８に示すように、指向性バックライトは、正面方向には、高輝度が得られる反面、入光面に対して垂直方向の視野角特性が、水平方向より狭い。そこで、面光源装置の点光源２４をデジタルカメラ本体１の左右のどちらか一方向に配置すると、図６に示す左右方向の視野角が入光面に対して垂直方向の視野角特性を示し、上下方向の視野角が入光面に対して水平方向の視野角特性を示すことになる。この結果、この実施形態の電子機器においては、上下方向の視野角特性が広くなり、撮影者が液晶表示装置１０を視認できる範囲が広くなって使い勝手が良くなる。
【００３５】
次に、この発明に用いられる指向性バックライト方式の面光源装置につき説明する。図１０は、この発明に用いられる指向性バックライト方式の面光源装置を用いた液晶表示装置を示す分解斜視図、図１２は、この発明に用いられる指向性バックライト方式の面光源装置を用いた液晶表示装置を示す概略側面図である。
【００３６】
図１０に示すように、透過型の液晶パネルユニット１０、液晶パネルユニット１０の下面に配置された面光源装置２０が配置される。面光源装置２０は、面状の導光板２１、及び導光板２１の一側面に設けられた光入光面側の端面に平行に配置された光源としての複数の白色発光ダイオード素子（ＬＥＤ）２４…と、を備える。
【００３７】
更に、面光源装置は、面状の導光板２１の導光板の反射面側に配設される反射シート２２と、導光板２１の出射面側に配設されるプリズムシート２３と、導光板１の入光面と対向する面に設けられた反射部材２５と、で構成される。
【００３８】
導光板２１は、例えば、アクリル(ＰＭＭＡ)、ポリカーボネート(ＰＣ)のような透光性樹脂を射出成形法により形成された板状部材である。
【００３９】
導光板２１には、出射面より出射する光を前記出射面の法線方向より所定の方向に指向させて出射させるために微小なシボ群２１１からなるパターン面が設けられる。このパターン面に形成されるシボ２１１（微小な凹凸）は、出射面側或いは反射面若しくは両面に設けられるが、この実施形態では図１０の部分拡大図に示すように、出射面側にシボ２１１が形成される。シボ２１１の形状は、図１１に示すように、略球面状突起で、その表面は反射した光が散乱せず、規則正しく所定の方向を向くように平滑曲面に形成されている。指向性バックライト方式の場合、導光板２１に設けるパターンは光があまり散乱しないパターンにし、極く僅かに光の方向を変えながら反射を繰り返し導光するように設計している。
【００４０】
導光板２１の反射面には、図１０の部分拡大図に示すように、入射側端面から反射側端面に向かう縦軸に対して平行する方向にプリズムが形成されている。具体的にはピッチ５０μｍ、頂角１３５°の山形プリズムが形成されている。このプリズムの頂角は、ＬＥＤ２４からの光を広げ、ＬＥＤ２４，２４間に明暗部ができるのを防止するために所定の角度、１００°から１５０°度の範囲に形成するとよく、又、ピッチも設けるＬＥＤ２４の個数やその間の距離に応じて５μｍ５００μｍの範囲で選択すればよい。
【００４１】
プリズムシート２３は、アクリル樹脂のような透光性樹脂シートで形成され、片面に断面三角形の多数の平行凸条が形成されており、凸条の延長方向に直交する方向に出射面から出た指向性ある光を法線方向に方向転角する。配置方向は図１０の部分拡大図に示すように、入射側端面から反射側端面に向かう縦軸に対して直交する方向に平行凸条２５１が配置される。
【００４２】
反射シート２２及び反射部材２５は、正反射シート又は散乱型白色シートで形成されており、導光板２１の反射面及び反射側端面の全面を覆うように配設されている。尚、白色ケースを近接してもよい。
【００４３】
又、図１０には示していないが、導光板２１、反射シート２２、ＬＥＤ２４、反射部材２５とは、白色ケースで固定される。導光板１の側端面から漏れる光はこの白色ケースで反射され、導光板２１内に戻される。
【００４４】
また、ＬＥＤ２４と導光板２１との間には空気層が設けられ、図示はしていないがこれらＬＥＤ２４と導光板２１とを高反射部材にて囲むように構成し、ＬＥＤ２４からの光をもれなく導光体２１内に案内するように構成している。
【００４５】
図３に示すように、ＬＥＤ２４を点灯すると、ＬＥＤ２４から出た光は、導光板２１の入射側端面から導光板２１内に入射する。入射した光は、反射側端面に向かって出射面と反射面との間を反射しながら進んでいく。導光板２１のシボ２１１及びプリズム２１２の表面は平滑球面状であるから、表面にて反射された光は散乱されず、極く僅かに光の方向を変えながら反射を繰り返し導光する。シボ２１１及びプリズム２１２の表面にて反射され、徐々に光の進行角度が変化し出射面に臨界角以下の角度で当たるようになった時点で出射面より出射する。
【００４６】
導光板２１より出射する光は非常に絞られて寝た光となり、この出射面から出た指向性のある光をプリズムシート２３により法線方向に方向を変える。視野角０度付近で効率良く光が出光される。
【００４７】
ところで、通常、面光源装置に用いられる導光板には、シルク印刷、ドットパターン等の光散乱パターンを設けられている。そして、光源から近い位置では単位面積あたりの被覆率ドットが小さく、光源から遠ざかるにつれて被覆率が高くなるようなパターンが導光板に施されている。これは、光源から遠ざかるほど導光板から反射される光の光量が小さくなり、光源から近いほど輝度が高くなるので、光散乱させるパターンの単位面積あたりの密度を小さくし、光の散乱を少なくし、光源から遠ざかるにつれて光散乱させるパターンの単位面積あたりの密度を高くし光の散乱を多くするものである。
【００４８】
尚、被覆率は、例えば微小な凹凸で光散乱パターンを形成する場合には、単位面積あたりのドットの面積をいう。
【００４９】
このような光散乱パターンを形成することで、導光板全面に亘って均一に発光させることが可能となる。
【００５０】
しかしながら、指向性バックライト方式の面光源装置の場合、光源から遠ざかるにつれて被覆率が高くなるようなパターン変化では均一な発光は得られなことが分かった。これは、導光板から絞られて寝た光を出射させるためには、導光板内を伝播する光の進行方向を徐々に変化させ、出射面に臨界角以下の角度で当たるようになった時点で出射面より出射させる必要がある。このため、上記した光の進行方向を徐々に変化させるパターンでは、光がパターンに一度当たっただけでは導光板から光は出射しないため、単純に光源から遠ざかるにつれて被覆率が高くなるようなパターン変化では導光板の光源側の発光が極端に少なく、導光板全体の均一な発光は得られないと考えられる。
【００５１】
そこで、デジタルカメラなどの電子機器本体１の左右方向のどちらか一方又は双方に光源を配置する指向性バックライト方式の面光源装置においては、図１３に示す様にドットパターンを形成すると良い。図に示すように、シボ２１１にはグラデーションを設け、入射側端面から対向する反射側端面に向けて密から粗というようにシボ密度を変化させて形成する。すなわち、光源２４から遠ざかるにつれて被覆率が低くなるようなパターン面が導光板２１に施されている。
【００５２】
尚、被覆率は、例えば微小な凹凸で光散乱パターンを形成する場合には、単位面積あたりのドットの面積をいう。
【００５３】
また、図１３において、パターンを模式的に表す円２１１の大きさは、被覆率の大きさを概念的に表したものであり、大きな円ほど被覆率が大きく、微小な凹凸で形成された光散乱パターンの場合、単位面積あたりのドット面積が大きいことを示している。
【００５４】
ここで、シボ密度は表面粗さで規定され、具体的には表面粗さＲａ１．０〜０．０１μｍになるように規定し形成した。
【００５５】
図１４に示すように、この実施形態では、光源側の表面粗さＲａ０．４２μｍから反射面端側の表面粗さがＲａ０．１０μｍまで徐々に粗くなるように形成している。
【００５６】
導光板２１に形成する表面粗さＲａの値および変化度合いは用いる導光板２１の形状により最適な値に決定されるが、本実施形態では、２インチ、３４．８×４７．４mmの導光板に適用した。この場合、表面粗さＲａは、図５に示すように、Ｒａ０．４２〜０．１μｍに規定した。
【００５７】
図１５乃至図１８に、導光板のシボの表面を顕微鏡で観察したものを示す。図１５は、表面粗さＲａが０．１μｍの状態、図１６は、表面粗さＲａが０．２０μｍの状態、図１７は、表面粗さＲａが０．３０μｍの状態、図１８は、表面粗さＲａが０．４２μｍの状態をそれぞれ示している。この実施形態では、導光板２１の光源側が図１８に示す状態であり、光源より遠ざかるにつれて図１７，図１６，図１５の状態と徐々にその密度が粗くなるように形成している。
【００５８】
図１９、表１に、一定の表面粗さＲａのシボを形成した４種類の比較例として導光板、並びに光源より遠ざかるにつれてその密度が粗くなるように形成したこの発明の実施形態の導光板をそれぞれ用意し、面光源装置として輝度を測定した結果を示す。
【００５９】
【表１】
2004199001.tif 000003
【００６０】
表１及び図１９から明らかなように、この発明の実施形態によれば、比較例に比べて、導光板全面に亘ってほぼ均一な輝度が得られる。また、各導光板は、入光面近くほど輝度が小さくなって行くが、この実施形態ではその落ち込み程度も少ない。
【００６１】
上記した導光板は、次のように金型を形成し、この金型を用いて射出成型により形成する。導光板用金型の製造は、導光板用金型に平行にブラストノズルを前後左右に移動させ、球形のビーズを所定圧力で導光板用金型のキャビティ面にショットしてブラスト加工を行って、シボに対応する凹部を有する加工面を形成する。このブラスト加工の際、ブラストノズルの移動速度、ブラスト圧力を変化させ、導光板の光源側から遠ざかるにつれて徐々にその密度が粗くなる凹部がキャビティ面に凹部が形成される。尚、ブラストノズルを前後に移動させるときに、球形のビーズの径を変えて粗さを変化させることもできる。この金型を使用して形成された導光板のシボ形成面には、導光板２１の光源側より遠ざかるにつれて徐々にその密度が粗くなるシボ２１１が形成される。
【００６２】
上記した実施形態においては、光源として点光源を用いたが、線状光源を用いても同様の効果が得られる。尚、線状光源を用いた場合においても、導光板１の反射面には、入射側端面から反射側端面に向かう縦軸に対して平行する方向にプリズムを形成することが好ましい。この場合のプリズムは、頂角を線状光源からの光を導光板に収束させるように、所定の角度、７０°から１００°の範囲に形成するとよく、又、ピッチも５μｍから５００μｍの範囲で選択すればよい。
【００６３】
又、上記した実施形態においては、電子機器としてデジタルカメラについて説明したが、ビデオカメラ、携帯情報端末等の他の電子機器に適用しても同様の効果を得ることができる。
【００６４】
【発明の効果】
以上説明したように、この発明によれば、指向性バックライト方式の面光源装置を有する液晶表示装置を搭載した電子機器において、上下方向の視野角特性が広くなり、視認性が良い機器を提供することができる。
【図面の簡単な説明】
【図１】デジタルカメラの外観模式的に示す前方斜視図である。
【図２】デジタルカメラの外観模式的に示す後方斜視図である。
【図３】従来の指向性バックライトを用いた液晶表示装置を示す模式的側面図である。
【図４】従来のデジタルカメラの面光源装置の光源配置位置を示す模式図である。
【図５】面光源装置の入光面との位置関係を説明するための模式的斜視図である。
【図６】デジタルカメラに搭載した液晶表示装置においての視野角の方向を説明するための模式図である。
【図７】面光源装置における入光面と垂直方向の視野角特性を示す図である。
【図８】面光源装置における入光面と水平方向の視野角特性を示す図である。
【図９】この発明の実施形態にかかる指向性バックライト方式の面光源装置を用いた液晶表示装置を搭載したデジタルカメラ示す模式図である。
【図１０】この発明に用いられる面光源装置を有する液晶表示装置を示す分解斜視図である。
【図１１】この発明に用いられる導光板に形成されるシボの形状を示す模式的側面図である。
【図１２】この発明に用いられる面光源装置を有する液晶表示装置を示す概略側面図である。
【図１３】この発明に用いられる導光板を示す概略平面図である。
【図１４】この発明に用いられる導光板のシボ密度の表面粗さを光源からの距離に対応して示した関係図である。
【図１５】導光板のシボの表面を顕微鏡で観察したものを示す図であり、表面粗さＲａが０．１０μｍの状態を示す。
【図１６】導光板のシボの表面を顕微鏡で観察したものを示す図であり、表面粗さＲａが０．２０μｍの状態を示す。
【図１７】導光板のシボの表面を顕微鏡で観察したものを示す図であり、表面粗さＲａが０．３０μｍの状態を示す。
【図１８】導光板のシボの表面を顕微鏡で観察したものを示す図であり、表面粗さＲａが０．４２μｍの状態を示す。
【図１９】各表面粗さに対する入光面からの距離と輝度との関係を示す特性図である。
【符号の説明】
１  デジタルカメラ本体
１０  液晶表示装置
２０  面光源装置
２１  導光板
２２  反射シート
２３  プリズムシート
２４  点光源（ＬＥＤ）
２１１  シボ
【図１】
2004199001.tif 000004
【図２】
2004199001.tif 000005
【図３】
2004199001.tif 000006
【図４】
2004199001.tif 000007
【図５】
2004199001.tif 000008
【図６】
2004199001.tif 000009
【図７】
2004199001.tif 000010
【図８】
2004199001.tif 000011
【図９】
2004199001.tif 000012
【図１０】
2004199001.tif 000013
【図１１】
2004199001.tif 000014
【図１２】
2004199001.tif 000015
【図１３】
2004199001.tif 000016
【図１４】
2004199001.tif 000017
【図１５】
2004199001.tif 000018
【図１６】
2004199001.tif 000019
【図１７】
2004199001.tif 000020
【図１８】
2004199001.tif 000021
【図１９】
2004199001.tif 000022